(57)【特許請求の範囲】
【請求項１】
カップ状の容器（１）と、その容器（１）上に装着可能なカバー（２）と、複数本の雄ネジ条（１８）及びそれと協働する雌ネジ条（１９）を有し容器（１）・カバー（２）間の連結に使用される多条型の迅速操作閉止ネジと、を備え、ペイントスプレーガン向けに使用されるグラビティカップであって、各雄ネジ条（１８）が、対応するピッチ線に沿い並ぶ複数個のネジ山断片（１８ａ，１８ｂ，…，１８ｊ）を有し、隣り合うネジ山断片間にギャップ（１８ｐ，１８ｑ，…，１８ｗ）が存し、
各雄ネジ条（１８）が案内ランプ（１６）を１個又は複数個有し、
案内ランプ（１６）が、隣り合う２個のネジ山断片（１８ｅ，１８ｆ）間を橋絡するようそれら２個のネジ山断片（１８ｅ，１８ｆ）の上側に設けられることを特徴とするグラビティカップ。
【請求項２】
請求項１記載のグラビティカップであって、各雄ネジ条（１８）が少なくとも２個のネジ山断片（１８ａ，１８ｂ）を有することを特徴とするグラビティカップ。
【請求項３】
請求項１又は２記載のグラビティカップであって、各雄ネジ条（１８）が４〜１０個のネジ山断片（１８ａ，１８ｂ，…，１８ｊ）を有することを特徴とするグラビティカップ。
【請求項４】
請求項１乃至３のいずれか一項記載のグラビティカップであって、雄ネジ条（１８）が容器（１）の上縁部外面に設けられたことを特徴とするグラビティカップ。
【請求項５】
請求項１乃至４のいずれか一項記載のグラビティカップであって、雌ネジ条（１９）がカバー（２）側フランジ（１１）の内面に設けられたことを特徴とするグラビティカップ。
【請求項６】
請求項５記載のグラビティカップであって、カバー（２）の内面に楔状封止ウェブ（２２）が設けられており、その楔状封止ウェブ（２２）の外面及びフランジ（２５）の内面により形成される楔状環溝（２３）内に容器上縁（２４）が収まることを特徴とするグラビティカップ。
【請求項７】
請求項１乃至６のいずれか一項記載のグラビティカップであって、カバー（２）の上部に連結ソケット（５）が設けられており、その連結ソケット（５）を介しスプレーガンに連結されることを特徴とするグラビティカップ。
【請求項８】
請求項７記載のグラビティカップであって、螺入楔部（８）を有する迅速交換部が連結ソケット（５）の上部に設けられており、その螺入楔部（８）とスプレーガン側の対応する要素との協働を通じスプレーガンに迅速連結されることを特徴とするグラビティカップ。
【請求項９】
請求項１乃至８のいずれか一項記載のグラビティカップであって、迅速操作閉止ネジが４本の雄ネジ条（１８）を有し、それら雄ネジ条（１８）が容器（１）の上縁部外面上に均等分布で設けられたことを特徴とするグラビティカップ。
【請求項１０】
請求項１乃至９のいずれか一項記載のグラビティカップであって、雄ネジ条（１８）の断面が台形であることを特徴とするグラビティカップ。
【請求項１１】
請求項１乃至１０のいずれか一項記載のグラビティカップであって、雌ネジ条（１９）が迅速操作閉止ネジの軸沿い閉止方向に沿い細ることを特徴とするグラビティカップ。
【請求項１２】
請求項１乃至１１のいずれか一項記載のグラビティカップであって、容器壁（１ａ）に比べ厚みがある縁フランジ（９）が容器（１）の上縁部に設けられたことを特徴とするグラビティカップ。
【請求項１３】
請求項１２記載のグラビティカップであって、容器壁（１ａ）の厚みが０．２〜１．５ｍｍ、縁フランジ（９）の厚みが０．４〜２ｍｍであることを特徴とするグラビティカップ。
【発明の詳細な説明】
【技術分野】
【０００１】
本発明は、請求項１の前提部分に記載の通りペイントスプレーガン（塗料噴霧銃）向けのグラビティカップ（重力送り式カップ）に関する。
【背景技術】
【０００２】
従来から、ペイントスプレーガン用グラビティカップでは、その容器をペイントスプレーガン上部に着脱することができるよう、カップ状容器の下部に連結部付の開口を設けるのが普通である。一般に、その連結部は、容器底部に挿通された連結ソケットで構成されており、且つペイントスプレーガン上部の対応するネジ孔に螺入可能な雄ネジを有している。不測の塗料漏出を防ぐためカップ状容器上部を相応のカバーで塞ぐのが一般的である。
【０００３】
グラビティカップとしては、カップ状容器を上側から塞ぐカバーに中空円筒状の連結部を設けたものも特許文献２〜５にて既に提案されている。このグラビティカップは、連結部たる連結ソケットがカバー上に直に形成されているため、ペイントスプレーガンに迅速に連結することができる。特許文献５に記載のグラビティカップであれば、容器上縁部外面にある雄ネジ条及びカバー内面にある対応する雌ネジ条で尖鋭リード角４条ネジ型の迅速操作閉止ネジが形成されているため、カップ状容器・カバー間を封止性よく連結することができる。即ち、個々の始点と次の雄ネジ条の終点とが上下方向に重なり合うよう、容器縁部外面に４本の容器側雄ネジ条が均等分布で配置されているので、約１／４周に亘り回す操作でカバーを容器に固く螺着させることができる。
【０００４】
しかしながら、封止されるカップの縁に備わるスティフネスが容器上縁部外面に沿い不均一で、また注入成形時に生じる容器壁厚方向素材集積が容器縁沿いに不均等なため、従来技術に係る容器では、取扱中に容器上縁部周辺が手で絞られ局所的に変形した場合等に漏出が発生しがちである。
【先行技術文献】
【特許文献】
【０００５】
【特許文献１】独国特許出願公開第１０２００４００３４３８号明細書
【特許文献２】国際公開第０１／１２３３７号パンフレット
【特許文献３】国際公開第２００４／０３７４３３号パンフレット
【特許文献４】欧州特許出願公開第１３６６８２３号明細書
【特許文献５】欧州特許出願公開第１９０２７８６号明細書
【発明の概要】
【発明が解決しようとする課題】
【０００６】
本発明の目的は、容器とその上に装着されるカバーの間をより好適に封止することができるよう、冒頭に掲げたタイプのグラビティカップを改良することにある。
【課題を解決するための手段】
【０００７】
この目的を達成するため、請求項１記載の特徴を有するグラビティカップを提案する。従属形式請求項に記載されているのは本発明の有用な改良形態又は効果的な発展形態である。
【０００８】
ここに、本発明の一実施形態に係るグラビティカップは、カップ状の容器と、その容器上に装着可能なカバーと、複数本の雄ネジ条及びそれと協働する雌ネジ条を有し容器・カバー間の連結に使用される多条型の迅速操作閉止ネジと、を備え、各雄ネジ条が、対応するピッチ線に沿い並ぶ複数個のネジ山断片を有し、隣り合うネジ山断片間にギャップが存する構成である。こうした構成では、注入成形時に生じる壁厚方向素材集積を雄ネジ条付近にてかなり抑えることができる。また、容器上縁に現れるスティフネスが上縁部外面に沿い一定になるため、迅速操作閉止ネジで容器上にカバーを螺着させる操作でより高い封止性を実現することができる。
【０００９】
雄ネジ条の形成先は容器の上縁部外面、雌ネジ条の形成先はカバーとするのが望ましい。逆に、雄ネジ条の形成先をカバー、雌ネジ条の形成先を容器の上縁部外面とすることもできる。また、個々の雄ネジ条に１個又は複数個の案内ランプを設け、容器にカバーを螺着させる操作を改良例えば容易化するのが望ましい。案内ランプ（群）の形成先は個々の雄ネジ条の上面、特に隣り合う２個のネジ山断片の上面にするのが望ましい。そうした構成では、隣り合う２個のネジ山断片間即ちギャップ上方を通る案内ランプで、それらネジ山断片が橋絡されることとなる。
【００１０】
雌ネジ条をカバー側フランジの内面に形成する構成であれば、迅速操作閉止ネジをその軸沿い閉止方向に進めるにつれ雌ネジ条のフランジ内周面に沿った幅が狭くなるようにするのが望ましい。この形態では、各雄ネジ条の上面に形成されている案内ランプが、カバーを容器の縁上に装着するに当たり案内支援部材として機能し、また迅速操作閉止ネジの螺着が進むとカバー側の雌ネジ条に係合する。迅速操作閉止ネジ閉止方向に沿い雌ネジ条幅が狭くなっているため、案内ランプは雌ネジ条内に楔状にはまりこむ。従って、迅速操作閉止ネジの螺着で強固な嵌着を実現することができる。注入成形時の振動等が原因で自然とゆるみ始めることもない。
【図面の簡単な説明】
【００１１】
【図１】本発明の一実施形態に係りカップ状容器及びその上に装着されたカバーを有するグラビティカップを示す断面図である。
【図２】図１に示したグラビティカップのカップ状容器及びカバー、特に後者の上に前者を螺着する際使用される迅速操作閉止ネジを示す図である。
【図３】図２中の領域Ｘをより詳細に示す図である。
【図４】図２中の領域Ｙをより詳細に示す図である。
【図５】図２中の領域Ｚをより詳細に示す図である。
【図６】迅速操作閉止ネジ上のある雄ネジ条から次の雄ネジ条への遷移領域をより詳細に示す図である。
【図７】図６中の線Ａ−Ａに沿った断面図である。
【発明を実施するための形態】
【００１２】
以下、本発明に備わる他の構成及び効果がわかるよう、別紙図面を参照しつつその好適な実施形態について説明する。
【００１３】
図１にペイントスプレーガン用グラビティカップの断面を示す。本グラビティカップはカップ状の容器１及びその上に装着されたカバー２を備えており、そのカバー２上には容器１・カバー２間の可着脱連結に使用される連結部３が形成されている。これら、容器１、並びに連結部３付のカバー２は、共にプラスチックの注入成形で好適に形成することができる。図２に、本グラビティカップの容器１からカバー２を取り外したものの縦断面を示す。図示状態ではカバー２が取り外されているので、スプレーガンで噴霧したい液体例えば塗料を容器１内に入れることができる。入れた後は、カバー２を容器１の上縁部に被せ、迅速操作閉止ネジで容器１に螺着させる。その後は、本グラビティカップのカバー２上に形成されている連結部３を、上下反転させておいたスプレーガンの連結開口内に差し込む。噴霧時には、スプレーガンを上下反転させることで、グラビティカップをスプレーガンの上側に持ってくればよい。図示しないが、本グラビティカップには通気口となる通気弁が設けられている。この通気弁は、再閉止できるよう容器１の底部４に設けるのが望ましい。通気弁が使用後に再閉止されるのであれば、好適なことに、使い残しの塗料を本グラビティカップ内に保存することができる。
【００１４】
連結部３には、成形等の手法で錐状のカバー２上に形成された管状の連結ソケット５が備わっている。そのソケット５は、先端に位置する中空筒状案内部６、在来の雌ネジに螺入可能な雄ネジ７、並びに螺入楔部８を順に連ねた構成であるので、本グラビティカップをペイントスプレーガンに手早く連結することができる。
【００１５】
容器１とカバー２の間を封止性よく連結する手段としては、図２に示す如く４条型の迅速操作閉止ネジが設けられている。この迅速操作閉止ネジは、容器１の上縁部外面に形成された雄ネジ条１８，１８’と、それに対応するようカバー２に形成された雌ネジ条１９とで構成されている。雄ネジ条１８，１８’は４本あり、容器１の上縁部外面に均等分布している。雄ネジ条１８，１８’は、それぞれ、対応するピッチ線１０に沿い並ぶ複数個のネジ山断片１８ａ，１８ｂ，…，１８ｅ，１８ｆ，…，１８ｊで構成されており、隣り合うネジ山断片間にはギャップ１８ｐ，１８ｑ，１８ｒ，…が形成されている。雄ネジ条１８，１８’を構成するネジ山断片の個数は、雄ネジ条１本に付き少なくとも２個（１８ａ，１８ｂ）、例えば４〜１０個とするのが望ましいため、図２に示した例では９個（１８ａ，１８ｂ，…，１８ｅ，１８ｆ，…，１８ｊ）とされている。
【００１６】
雄ネジ条１８，１８’はめいめいに案内ランプ１６を有している。ランプ１６はいずれもネジ山断片の上面に設けられている。図５に示す例では、同じ雄ネジ条（１８，１８’）内で隣り合っている２個のネジ山断片（１８ｅ，１８ｆ）の上面にあるランプ１６で、それらネジ山断片間が橋絡されている。
【００１７】
雌ネジ条１９は、図３に示す如くカバー２側フランジ１１の内面にあり、それぞれ第１ウェブ１２及び第２ウェブ１３によって形成されている。ウェブ１２，１３はフランジ１１の内面から突出しており、そのフランジ１１の内周面に沿いある角度範囲をカバーするよう、雄ネジ条１８，１８’のリード角に対応するリード角で斜めに延びている。雌ネジ条１９を形成しているウェブ対（１２，１３）の個数は雄ネジ条１８，１８’の本数に対応しており、図示例の場合は４本ある雄ネジ条１８，１８’に対応し雌ネジ条１９が４本設けられている。更に、この例の場合、ウェブ１２，１３がフランジ１１の内周面に沿い約１５０°に亘り延びており、またウェブ対（１２，１３）間でその始点同士、終点同士が約９０度ずれているので、個々の雌ネジ条１９の下縁をなすウェブ１３が、隣の雌ネジ条１９の上縁をなすウェブ１２の上方まで達することとなる。そして、迅速操作閉止ネジ閉止方向に沿いウェブ１２，１３間が近づいていくので、各雌ネジ条１９の幅も軸方向に沿い僅かに狭まっていく。
【００１８】
縁のスティフネスを改善する手段としては、容器壁１ａに比べ厚みがある縁フランジ９が容器１の上縁部に設けられている。４本ある雄ネジ条１８，１８’は、図６に示す如く、ある雄ネジ条１８の終点２０が次の雄ネジ条１８’の始点２１の直上に位置することとなるようこのフランジ９の上に設けるのが望ましい。雄ネジ条１８の終点２０とその次の雄ネジ条１８’の始点２１との間の距離は例えば４〜６ｍｍとする。迅速操作閉止ネジは、そのリード角が尖鋭なネジ、例えば２０ｍｍのリードを有するネジとして構成するのが望ましい。このような構成では、約１／４回転させることでカバー２を容器１に対し固く螺着させることができる。
【００１９】
また、図示例における雄ネジ条は、図７に明示の如くそのフランク角が約３０°の台形ネジとして形成されている。無論、円形ネジ、Ｖ字ネジ等、その他の断面形状を有するネジで迅速操作閉止ネジを実現することもできる。図示例の場合、雄ネジ条外径ｄを１００〜１１０ｍｍ、例えば約１０５ｍｍとするのが望ましく、また雄ネジ条基底部径Ｄを９０〜１０５ｍｍ、例えば約１０２ｍｍとするのが望ましい。外面沿い雄ネジ条幅ｂは例えば１．１〜１．３ｍｍとする。
【００２０】
カバー２を容器１に装着する際には、当初、雌ネジ条１９の上縁をなすウェブ１２の下面が雄ネジ条１８，１８’の上面より上側に位置している。その後、迅速操作閉止ネジ閉止方向に沿い容器１に対しカバー２を回すと、雄ネジ条１８，１８’が雌ネジ条１９内に入り込んでいく。案内ランプ１６はこの動きを案内しつつカンチングを防止する。カバー２を更に回すとランプ１６も雌ネジ条１９内に入り込んでいく。雌ネジ条１９の幅が先細りとなっているため、ランプ１６は上側にあるウェブ１２と下側にあるウェブ１３で挟み込まれていく。その上にランプ１６が形成されている２個のネジ山断片１８ｅ，１８ｆの下面、特にそのランプ１６の下方にある部位は、下側にあるウェブ１３の上面に対しカウンタベアリングとして作用する。更に、カバー２の内面には図５に示す如く楔状の封止ウェブ２２が周沿いに延設されており、そのウェブ２２の外面とカバー２の内面との間に、容器上縁２４を受け入れうる楔状環溝２３が形成されている。この環溝２３は図５中で上寄りに進むに従い細る楔状であり、カバー２を螺着させる際に容器上縁２４を外向きに押す作用を有している。これにより、容器上縁２４がカバー側フランジ１１の内壁に押し付けられるため、封止性のよい連結が達成されることとなる。また、ウェブ２２には十分な高さがあるので、装着されたカバー２内に留まっている塗料を回収し、雌ネジ条１９内に逃げ込まないようにすることができる。
【００２１】
本発明は、以上説明及び図示した実施形態に限定されるものではない。例えば、雄ネジ条１８，１８’の本数及び雌ネジ条１９の本数を変えることができる。雄ネジ条を構成するネジ山断片の個数も変えることができる。雄ネジ条１本当たり少なくとも２個のネジ山断片があればよい。雌ネジ条を容器上縁部に設け雄ネジ条をカバー側に設けることもできる。雌ネジ条を、フランジ１１内面の溝ではなく容器１上縁部表面の溝として形成することもできる。そのグラビティカップをスプレーガンに連結するための連結ソケットがカバー上ではなく容器の底部に設けられているグラビティカップ等に対しても、本発明に係るカバー容器間連結を適用することができる。そして、連結ソケットがカバー上に形成されている例では、塗料受入用の縮壊式内挿物（ライナ）を容器内に入れ容器上縁に固定して使用することもできる。
【図１】
0005439495.tif 000002
【図２】
0005439495.tif 000003
【図３】
0005439495.tif 000004
【図４】
0005439495.tif 000005
【図５】
0005439495.tif 000006
【図６】
0005439495.tif 000007
【図７】
0005439495.tif 000008